(57)【要約】【課題】  リードスクリューと該リードスクリューに螺合されるナットとの間の良好な位置関係を確保して光ピックアップの動作の適正化を図る。【解決手段】  ベースシャーシ５にブラケット２７の被取付面部３３が取り付けられる取付面部を設け、ベースシャーシの取付面部７にネジ取付用孔１０、１０とディスク状記録媒体１００の半径方向に離隔して形成された複数の位置決め孔８、８、９、９とを形成し、被取付面部に、取付面部に取り付けられたときにネジ取付用孔に重ねられるネジ用孔３６、３６と、ディスク状記録媒体の半径方向に離隔して形成され取付面部に取り付けられるときにベースシャーシとの間で位置決めを行うための複数の位置合わせ孔３４、３４、３５、３５とを形成し、ネジ取付用孔又はネジ用孔の一方をディスク状記録媒体の半径方向に直交する方向に長い長孔状に形成し、複数の位置決め孔又は複数の位置合わせ孔の一方をディスク状記録媒体の半径方向に直交する方向にずらして形成した。【選択図】        図５
2009176361.tif 000002
【特許請求の範囲】
【請求項１】
ディスク状記録媒体が装着されるディスクテーブルと該ディスクテーブルを回転させるスピンドルモーターと前記ディスクテーブルに装着される前記ディスク状記録媒体の半径方向へ移動される光ピックアップと該光ピックアップを前記ディスク状記録媒体の半径方向へ案内するガイド軸と該ガイド軸を保持するベースシャーシと該ベースシャーシに組み付けられ前記光ピックアップを前記ディスク状記録媒体の半径方向へ移動させるピックアップ移動機構とを備えたディスクドライブ装置であって、
前記ピックアップ移動機構は、
軸方向が前記ディスク状記録媒体の半径方向とされたリードスクリューと、
前記リードスクリューを回転自在に支持し被取付面部を有するブラケットと、
前記リードスクリューを回転させる駆動モーターとを備え、
前記光ピックアップには、前記リードスクリューの軸方向に直交する方向において前記リードスクリューに押し付けられる側へ付勢された状態で前記リードスクリューに螺合されるナットが取り付けられ、
前記ベースシャーシに前記ブラケットの被取付面部が取り付けられる取付面部を設け、
前記ベースシャーシの取付面部にネジ取付用孔と前記ディスク状記録媒体の半径方向に離隔して形成された複数の位置決め孔とを形成し、
前記ブラケットの被取付面部に、前記ベースシャーシの取付面部に取り付けられたときに前記ベースシャーシのネジ取付用孔に重ねられるネジ用孔と、前記ディスク状記録媒体の半径方向に離隔して形成され前記取付面部に取り付けられるときに前記ベースシャーシとの間で位置決めを行うための複数の位置合わせ孔とを形成し、
前記ベースシャーシのネジ取付用孔又は前記ブラケットのネジ用孔の一方を前記ディスク状記録媒体の半径方向に直交する方向に長い長孔状に形成し、
前記ベースシャーシの複数の位置決め孔又は前記ブラケットの複数の位置合わせ孔の一方を前記ディスク状記録媒体の半径方向に直交する方向にずらして形成した
ことを特徴とするディスクドライブ装置。
【請求項２】
前記ベースシャーシのネジ取付用孔を取付ネジが締結される螺孔として形成し、
前記ブラケットのネジ用孔を前記ディスク状記録媒体の半径方向に直交する方向に長くして取付ネジが挿通される挿通孔として形成した
ことを特徴とする請求項１に記載のディスクドライブ装置。
【請求項３】
受け台に設けられた位置決めピンに前記ベースシャーシの位置決め孔及び前記ブラケットの位置合わせ孔を挿入して前記ベースシャーシの取付面部と前記ブラケットの被取付面部との位置決めを行うようにした
ことを特徴とする請求項１に記載のディスクドライブ装置。
【請求項４】
ディスク状記録媒体が装着されるディスクテーブルと該ディスクテーブルを回転させるスピンドルモーターと前記ディスクテーブルに装着される前記ディスク状記録媒体の半径方向へ移動される光ピックアップと該光ピックアップを前記ディスク状記録媒体の半径方向へ案内するガイド軸と該ガイド軸を保持するベースシャーシと該ベースシャーシに組み付けられ前記光ピックアップを前記ディスク状記録媒体の半径方向へ移動させるピックアップ移動機構とを備えたディスクドライブ装置であって、
前記ピックアップ移動機構は、
軸方向が前記ディスク状記録媒体の半径方向とされたリードスクリューと、
前記リードスクリューを回転自在に支持し被取付面部を有するブラケットと、
前記リードスクリューを回転させる駆動モーターとを備え、
前記光ピックアップには、前記リードスクリューの軸方向に直交する方向において前記リードスクリューに押し付けられる側へ付勢された状態で前記リードスクリューに螺合されるナットが取り付けられ、
前記ベースシャーシに前記ブラケットの被取付面部が取り付けられる取付面部を設け、
前記ベースシャーシの取付面部にネジ取付用孔と前記ディスク状記録媒体の半径方向に長い長孔状にされた位置決め孔とを形成し、
前記ブラケットの被取付面部に、前記ベースシャーシの取付面部に取り付けられたときに前記ベースシャーシのネジ取付用孔に重ねられるネジ用孔と、前記ディスク状記録媒体の半径方向に離隔して形成され前記取付面部に取り付けられるときに前記ベースシャーシとの間で位置決めを行うための複数の位置合わせ孔とを形成し、
前記ベースシャーシのネジ取付用孔又は前記ブラケットのネジ用孔の一方を前記ディスク状記録媒体の半径方向に直交する方向に長い長孔状に形成し、
前記ブラケットの複数の位置合わせ孔を前記ディスク状記録媒体の半径方向に直交する方向にずらして形成した
ことを特徴とするディスクドライブ装置。
【請求項５】
前記ベースシャーシのネジ取付用孔を取付ネジが締結される螺孔として形成し、
前記ブラケットのネジ用孔を前記ディスク状記録媒体の半径方向に直交する方向に長くして取付ネジが挿通される挿通孔として形成した
ことを特徴とする請求項４に記載のディスクドライブ装置。
【請求項６】
受け台に設けられた位置決めピンに前記ベースシャーシの位置決め孔及び前記ブラケットの位置合わせ孔を挿入して前記ベースシャーシの取付面部と前記ブラケットの被取付面部との位置決めを行うようにした
ことを特徴とする請求項４に記載のディスクドライブ装置。
【請求項７】
ディスク状記録媒体が装着されるディスクテーブルと該ディスクテーブルを回転させるスピンドルモーターと前記ディスクテーブルに装着される前記ディスク状記録媒体の半径方向へ移動される光ピックアップと該光ピックアップを前記ディスク状記録媒体の半径方向へ案内するガイド軸と該ガイド軸を保持するベースシャーシと該ベースシャーシに組み付けられ前記光ピックアップを前記ディスク状記録媒体の半径方向へ移動させるピックアップ移動機構とを備えたディスクドライブ装置であって、
前記ピックアップ移動機構は、
軸方向が前記ディスク状記録媒体の半径方向とされたリードスクリューと、
前記リードスクリューを回転自在に支持し被取付面部を有するブラケットと、
前記リードスクリューを回転させる駆動モーターとを備え、
前記光ピックアップには、前記リードスクリューの軸方向に直交する方向において前記リードスクリューに押し付けられる側へ付勢された状態で前記リードスクリューに螺合されるナットが取り付けられ、
前記ベースシャーシに前記ブラケットの被取付面部が取り付けられる取付面部を設け、
前記ベースシャーシの取付面部にネジ取付用孔と前記ディスク状記録媒体の半径方向に離隔して形成された複数の位置決め孔とを形成し、
前記ブラケットの被取付面部に、前記ベースシャーシの取付面部に取り付けられたときに前記ベースシャーシのネジ取付用孔に重ねられるネジ用孔と、前記ディスク状記録媒体の半径方向に離隔して形成され前記取付面部に取り付けられるときに前記ベースシャーシとの間で位置決めを行うための複数の位置合わせ孔とを形成し、
前記ベースシャーシのネジ取付用孔又は前記ブラケットのネジ用孔の一方を前記ディスク状記録媒体の半径方向に直交する方向に長い長孔状に形成し、
前記ベースシャーシの複数の位置決め孔を前記ディスク状記録媒体の半径方向に直交する方向にずらして形成した
ことを特徴とするディスクドライブ装置。
【請求項８】
前記ベースシャーシのネジ取付用孔を取付ネジが締結される螺孔として形成し、
前記ブラケットのネジ用孔を前記ディスク状記録媒体の半径方向に直交する方向に長くして取付ネジが挿通される挿通孔として形成した
ことを特徴とする請求項７に記載のディスクドライブ装置。
【請求項９】
受け台に設けられた位置決めピンに前記ベースシャーシの位置決め孔及び前記ブラケットの位置合わせ孔を挿入して前記ベースシャーシの取付面部と前記ブラケットの被取付面部との位置決めを行うようにした
ことを特徴とする請求項７に記載のディスクドライブ装置。
【発明の詳細な説明】
【技術分野】
【０００１】
本発明はディスクドライブ装置に関する。詳しくは、ベースシャーシの取付面部に位置決め孔を形成しピックアップ移動機構の被取付面部に位置合わせ孔を形成して位置決めを行いピックアップ移動機構のリードスクリューと該リードスクリューに螺合されるナットとの間の良好な位置関係を確保する技術分野に関する。
【背景技術】
【０００２】
ディスクテーブルに装着された光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。光ピックアップはディスク状記録媒体の半径方向へ移動される移動ベースと該移動ベースに配置された対物レンズ駆動装置とを有している。
【０００３】
ディスクドライブ装置には、メカシャーシと該メカシャーシにディスク状記録媒体に離接する方向へ移動可能に支持されたディスク駆動ユニットとが設けられている。ディスク駆動ユニットは、ベースシャーシと該ベースシャーシに取り付けられディスクテーブルを回転させるスピンドルモーターを有する回転駆動機構と上記した光ピックアップと該光ピックアップをディスク状記録媒体の半径方向へ移動させるピックアップ移動機構とベースシャーシに設けられ光ピックアップをディスク状記録媒体の半径方向へ案内するガイド軸とを有している。
【０００４】
このようなピックアップ移動機構には、軸方向がディスク状記録媒体の半径方向とされたリードスクリュー、該リードスクリューを回転自在に支持するブラケット、リードスクリューを回転させる駆動モーター及び光ピックアップに取り付けられリードスクリューに螺合されるナットを有しているものがある。
【０００５】
ピックアップ移動機構において、駆動モーターの駆動力によってリードスクリューが回転されると、その回転方向に応じた方向へナットが送られて光ピックアップがディスク状記録媒体の半径方向へガイド軸に案内されて移動される。
【０００６】
ピックアップ移動機構にあっては、ナットのリードスクリューに対する螺合の解除を防止するために、ナットがリードスクリューの軸方向に直交する方向においてリードスクリューに押し付けられる側へバネ部材によって付勢された状態とされている（例えば、特許文献１参照）。
【０００７】
【特許文献１】特開２００３−６６０１６号公報
【発明の開示】
【発明が解決しようとする課題】
【０００８】
ところが、ディスクドライブ装置にあっては、上記したように、ベースシャーシに所定の各部品が組み付けられて構成されるため、各部品の加工精度やベースシャーシに対する光ピックアップやピックアップ移動機構の位置精度によっては、ナットのリードスクリューに対する位置精度に関し、製品によってバラツキが生じることがある。
【０００９】
従って、上記したように、ナットのリードスクリューに対する螺合の解除を防止するために、ナットをバネ部材によってリードスクリューに押し付けられる側へ付勢した状態において、ナットのリードスクリューに対する位置精度が低い場合に、例えば、ナットのリードスクリューに対する押付力が弱くなり過ぎると、リードスクリューの回転時や落下等による衝撃の付与時にナットがリードスクリューから脱落してしまい、ナットがリードスクリューによって正常に送られなくなり、光ピックアップの移動動作が適正に行われなくなるおそれがある。
【００１０】
また、ナットのリードスクリューに対する位置精度が低い場合に、逆に、ナットのリードスクリューに対する押付力が強くなり過ぎると、ナットからの大きな押付力によってリードスクリューが回転しなくなってしまい、光ピックアップの移動動作が行われなくなるおそれがある。
【００１１】
この場合には、駆動力の大きな大型の駆動モーターを使用することによりリードスクリューの回転の不能と言う不具合を解消することが可能であるが、大型の駆動モーターを使用すると、ディスクドライブ装置の薄型に支障を来たすと共に製造コストの高騰を来たしてしまうと言う問題が発生してしまう。
【００１２】
そこで、本発明ディスクドライブ装置は、上記した問題点を克服し、リードスクリューと該リードスクリューに螺合されるナットとの間の良好な位置関係を確保して光ピックアップの動作の適正化を図ることを課題とする。
【課題を解決するための手段】
【００１３】
ディスクドライブ装置は、上記した課題を解決するために、ディスク状記録媒体が装着されるディスクテーブルと該ディスクテーブルを回転させるスピンドルモーターと前記ディスクテーブルに装着される前記ディスク状記録媒体の半径方向へ移動される光ピックアップと該光ピックアップを前記ディスク状記録媒体の半径方向へ案内するガイド軸と該ガイド軸を保持するベースシャーシと該ベースシャーシに組み付けられ前記光ピックアップを前記ディスク状記録媒体の半径方向へ移動させるピックアップ移動機構とを設け、前記ピックアップ移動機構は、軸方向が前記ディスク状記録媒体の半径方向とされたリードスクリューと、前記リードスクリューを回転自在に支持し被取付面部を有するブラケットと、前記リードスクリューを回転させる駆動モーターとを設け、前記光ピックアップには、前記リードスクリューの軸方向に直交する方向において前記リードスクリューに押し付けられる側へ付勢された状態で前記リードスクリューに螺合されるナットが取り付けられ、前記ベースシャーシに前記ブラケットの被取付面部が取り付けられる取付面部を設け、前記ベースシャーシの取付面部にネジ取付用孔と前記ディスク状記録媒体の半径方向に離隔して形成された複数の位置決め孔とを形成し、前記ブラケットの被取付面部に、前記ベースシャーシの取付面部に取り付けられたときに前記ベースシャーシのネジ取付用孔に重ねられるネジ用孔と、前記ディスク状記録媒体の半径方向に離隔して形成され前記取付面部に取り付けられるときに前記ベースシャーシとの間で位置決めを行うための複数の位置合わせ孔とを形成し、前記ベースシャーシのネジ取付用孔又は前記ブラケットのネジ用孔の一方を前記ディスク状記録媒体の半径方向に直交する方向に長い長孔状に形成し、前記ベースシャーシの複数の位置決め孔又は前記ブラケットの複数の位置合わせ孔の一方を前記ディスク状記録媒体の半径方向に直交する方向にずらして形成したものである。
【００１４】
別のディスクドライブ装置は、上記した課題を解決するために、ディスク状記録媒体が装着されるディスクテーブルと該ディスクテーブルを回転させるスピンドルモーターと前記ディスクテーブルに装着される前記ディスク状記録媒体の半径方向へ移動される光ピックアップと該光ピックアップを前記ディスク状記録媒体の半径方向へ案内するガイド軸と該ガイド軸を保持するベースシャーシと該ベースシャーシに組み付けられ前記光ピックアップを前記ディスク状記録媒体の半径方向へ移動させるピックアップ移動機構とを設け、前記ピックアップ移動機構は、軸方向が前記ディスク状記録媒体の半径方向とされたリードスクリューと、前記リードスクリューを回転自在に支持し被取付面部を有するブラケットと、前記リードスクリューを回転させる駆動モーターとを設け、前記光ピックアップには、前記リードスクリューの軸方向に直交する方向において前記リードスクリューに押し付けられる側へ付勢された状態で前記リードスクリューに螺合されるナットが取り付けられ、前記ベースシャーシに前記ブラケットの被取付面部が取り付けられる取付面部を設け、前記ベースシャーシの取付面部にネジ取付用孔と前記ディスク状記録媒体の半径方向に長い長孔状にされた位置決め孔とを形成し、前記ブラケットの被取付面部に、前記ベースシャーシの取付面部に取り付けられたときに前記ベースシャーシのネジ取付用孔に重ねられるネジ用孔と、前記ディスク状記録媒体の半径方向に離隔して形成され前記取付面部に取り付けられるときに前記ベースシャーシとの間で位置決めを行うための複数の位置合わせ孔とを形成し、前記ベースシャーシのネジ取付用孔又は前記ブラケットのネジ用孔の一方を前記ディスク状記録媒体の半径方向に直交する方向に長い長孔状に形成し、前記ブラケットの複数の位置合わせ孔を前記ディスク状記録媒体の半径方向に直交する方向にずらして形成したものである。
【００１５】
また別のディスクドライブ装置は、上記した課題を解決するために、ディスク状記録媒体が装着されるディスクテーブルと該ディスクテーブルを回転させるスピンドルモーターと前記ディスクテーブルに装着される前記ディスク状記録媒体の半径方向へ移動される光ピックアップと該光ピックアップを前記ディスク状記録媒体の半径方向へ案内するガイド軸と該ガイド軸を保持するベースシャーシと該ベースシャーシに組み付けられ前記光ピックアップを前記ディスク状記録媒体の半径方向へ移動させるピックアップ移動機構とを設け、前記ピックアップ移動機構は、軸方向が前記ディスク状記録媒体の半径方向とされたリードスクリューと、前記リードスクリューを回転自在に支持し被取付面部を有するブラケットと、前記リードスクリューを回転させる駆動モーターとを設け、前記光ピックアップには、前記リードスクリューの軸方向に直交する方向において前記リードスクリューに押し付けられる側へ付勢された状態で前記リードスクリューに螺合されるナットが取り付けられ、前記ベースシャーシに前記ブラケットの被取付面部が取り付けられる取付面部を設け、前記ベースシャーシの取付面部にネジ取付用孔と前記ディスク状記録媒体の半径方向に離隔して形成された複数の位置決め孔とを形成し、前記ブラケットの被取付面部に、前記ベースシャーシの取付面部に取り付けられたときに前記ベースシャーシのネジ取付用孔に重ねられるネジ用孔と、前記ディスク状記録媒体の半径方向に離隔して形成され前記取付面部に取り付けられるときに前記ベースシャーシとの間で位置決めを行うための複数の位置合わせ孔とを形成し、前記ベースシャーシのネジ取付用孔又は前記ブラケットのネジ用孔の一方を前記ディスク状記録媒体の半径方向に直交する方向に長い長孔状に形成し、前記ベースシャーシの複数の位置決め孔を前記ディスク状記録媒体の半径方向に直交する方向にずらして形成したものである。
【００１６】
従って、ディスクドライブ装置にあっては、位置決め孔と位置合わせ孔によってベースシャーシの取付面部とブラケットの被取付面部が位置決めされネジ取付用孔及びネジ用孔を介して取付ネジによってベースシャーシにピックアップ移動機構のブラケットが取り付けられる。
【００１７】
上記ディスクドライブ装置においては、前記ベースシャーシのネジ取付用孔を取付ネジが締結される螺孔として形成し、前記ブラケットのネジ用孔を前記ディスク状記録媒体の半径方向に直交する方向に長くして取付ネジが挿通される挿通孔として形成することが望ましい。
【００１８】
ベースシャーシのネジ取付用孔を螺孔として形成し、ブラケットのネジ用孔をディスク状記録媒体の半径方向に直交する方向に長い挿通孔として形成することにより、ピックアップ移動機構のベースシャーシに対する組付作業を、ディスクテーブル及びスピンドルモーターを有する回転駆動機構や光ピックアップのベースシャーシに対する組付作業と同じ側から行うことが可能となる。
【００１９】
また、上記ディスクドライブ装置において、受け台に設けられた位置決めピンに前記ベースシャーシの位置決め孔及び前記ブラケットの位置合わせ孔を挿入して前記ベースシャーシの取付面部と前記ブラケットの被取付面部との位置決めを行うようにすることが可能である。
【００２０】
位置決めピンが設けられた受け台を用いて位置決めを行うことにより、位置決め調整作業が容易となる。
【発明の効果】
【００２１】
本発明ディスクドライブ装置は、ディスク状記録媒体が装着されるディスクテーブルと該ディスクテーブルを回転させるスピンドルモーターと前記ディスクテーブルに装着される前記ディスク状記録媒体の半径方向へ移動される光ピックアップと該光ピックアップを前記ディスク状記録媒体の半径方向へ案内するガイド軸と該ガイド軸を保持するベースシャーシと該ベースシャーシに組み付けられ前記光ピックアップを前記ディスク状記録媒体の半径方向へ移動させるピックアップ移動機構とを備えたディスクドライブ装置であって、前記ピックアップ移動機構は、軸方向が前記ディスク状記録媒体の半径方向とされたリードスクリューと、前記リードスクリューを回転自在に支持し被取付面部を有するブラケットと、前記リードスクリューを回転させる駆動モーターとを備え、前記光ピックアップには、前記リードスクリューの軸方向に直交する方向において前記リードスクリューに押し付けられる側へ付勢された状態で前記リードスクリューに螺合されるナットが取り付けられ、前記ベースシャーシに前記ブラケットの被取付面部が取り付けられる取付面部を設け、前記ベースシャーシの取付面部にネジ取付用孔と前記ディスク状記録媒体の半径方向に離隔して形成された複数の位置決め孔とを形成し、前記ブラケットの被取付面部に、前記ベースシャーシの取付面部に取り付けられたときに前記ベースシャーシのネジ取付用孔に重ねられるネジ用孔と、前記ディスク状記録媒体の半径方向に離隔して形成され前記取付面部に取り付けられるときに前記ベースシャーシとの間で位置決めを行うための複数の位置合わせ孔とを形成し、前記ベースシャーシのネジ取付用孔又は前記ブラケットのネジ用孔の一方を前記ディスク状記録媒体の半径方向に直交する方向に長い長孔状に形成し、前記ベースシャーシの複数の位置決め孔又は前記ブラケットの複数の位置合わせ孔の一方を前記ディスク状記録媒体の半径方向に直交する方向にずらして形成したことを特徴とする。
【００２２】
従って、ナットのリードスクリューに対する位置精度に関して製品によってバラツキが生じた場合においても、リードスクリューとナットとの間の良好な位置関係を確保してリードスクリューの回転動作及びナットの送り動作の円滑化を図ることができ、光ピックアップの動作の適正化を図ることができる。
【００２３】
請求項２に記載した発明にあっては、前記ベースシャーシのネジ取付用孔を取付ネジが締結される螺孔として形成し、前記ブラケットのネジ用孔を前記ディスク状記録媒体の半径方向に直交する方向に長くして取付ネジが挿通される挿通孔として形成したので、ディスクテーブル及びスピンドルモーターを有する回転駆動機構、光ピックアップ及びピックアップ移動機構のベースシャーシに対する組付作業を全てベースシャーシの一方の面側から行うことができ、ベースシャーシに対する組付作業における作業性の向上を図ることができる。
【００２４】
請求項３に記載した発明にあっては、受け台に設けられた位置決めピンに前記ベースシャーシの位置決め孔及び前記ブラケットの位置合わせ孔を挿入して前記ベースシャーシの取付面部と前記ブラケットの被取付面部との位置決めを行うようにしたので、位置決め調整作業における作業性の向上を図ることができる。
【００２５】
別の本発明ディスクドライブ装置は、ディスク状記録媒体が装着されるディスクテーブルと該ディスクテーブルを回転させるスピンドルモーターと前記ディスクテーブルに装着される前記ディスク状記録媒体の半径方向へ移動される光ピックアップと該光ピックアップを前記ディスク状記録媒体の半径方向へ案内するガイド軸と該ガイド軸を保持するベースシャーシと該ベースシャーシに組み付けられ前記光ピックアップを前記ディスク状記録媒体の半径方向へ移動させるピックアップ移動機構とを備えたディスクドライブ装置であって、前記ピックアップ移動機構は、軸方向が前記ディスク状記録媒体の半径方向とされたリードスクリューと、前記リードスクリューを回転自在に支持し被取付面部を有するブラケットと、前記リードスクリューを回転させる駆動モーターとを備え、前記光ピックアップには、前記リードスクリューの軸方向に直交する方向において前記リードスクリューに押し付けられる側へ付勢された状態で前記リードスクリューに螺合されるナットが取り付けられ、前記ベースシャーシに前記ブラケットの被取付面部が取り付けられる取付面部を設け、前記ベースシャーシの取付面部にネジ取付用孔と前記ディスク状記録媒体の半径方向に長い長孔状にされた位置決め孔とを形成し、前記ブラケットの被取付面部に、前記ベースシャーシの取付面部に取り付けられたときに前記ベースシャーシのネジ取付用孔に重ねられるネジ用孔と、前記ディスク状記録媒体の半径方向に離隔して形成され前記取付面部に取り付けられるときに前記ベースシャーシとの間で位置決めを行うための複数の位置合わせ孔とを形成し、前記ベースシャーシのネジ取付用孔又は前記ブラケットのネジ用孔の一方を前記ディスク状記録媒体の半径方向に直交する方向に長い長孔状に形成し、前記ブラケットの複数の位置合わせ孔を前記ディスク状記録媒体の半径方向に直交する方向にずらして形成したことを特徴とする。
【００２６】
従って、ナットのリードスクリューに対する位置精度に関して製品によってバラツキが生じた場合においても、リードスクリューとナットとの間の良好な位置関係を確保してリードスクリューの回転動作及びナットの送り動作の円滑化を図ることができ、光ピックアップの動作の適正化を図ることができる。
【００２７】
請求項５に記載した発明にあっては、前記ベースシャーシのネジ取付用孔を取付ネジが締結される螺孔として形成し、前記ブラケットのネジ用孔を前記ディスク状記録媒体の半径方向に直交する方向に長くして取付ネジが挿通される挿通孔として形成したので、ディスクテーブル及びスピンドルモーターを有する回転駆動機構、光ピックアップ及びピックアップ移動機構のベースシャーシに対する組付作業を全てベースシャーシの一方の面側から行うことができ、ベースシャーシに対する組付作業における作業性の向上を図ることができる。
【００２８】
請求項６に記載した発明にあっては、受け台に設けられた位置決めピンに前記ベースシャーシの位置決め孔及び前記ブラケットの位置合わせ孔を挿入して前記ベースシャーシの取付面部と前記ブラケットの被取付面部との位置決めを行うようにしたので、位置決め調整作業における作業性の向上を図ることができる。
【００２９】
また別の本発明ディスクドライブ装置は、ディスク状記録媒体が装着されるディスクテーブルと該ディスクテーブルを回転させるスピンドルモーターと前記ディスクテーブルに装着される前記ディスク状記録媒体の半径方向へ移動される光ピックアップと該光ピックアップを前記ディスク状記録媒体の半径方向へ案内するガイド軸と該ガイド軸を保持するベースシャーシと該ベースシャーシに組み付けられ前記光ピックアップを前記ディスク状記録媒体の半径方向へ移動させるピックアップ移動機構とを備えたディスクドライブ装置であって、前記ピックアップ移動機構は、軸方向が前記ディスク状記録媒体の半径方向とされたリードスクリューと、前記リードスクリューを回転自在に支持し被取付面部を有するブラケットと、前記リードスクリューを回転させる駆動モーターとを備え、前記光ピックアップには、前記リードスクリューの軸方向に直交する方向において前記リードスクリューに押し付けられる側へ付勢された状態で前記リードスクリューに螺合されるナットが取り付けられ、前記ベースシャーシに前記ブラケットの被取付面部が取り付けられる取付面部を設け、前記ベースシャーシの取付面部にネジ取付用孔と前記ディスク状記録媒体の半径方向に離隔して形成された複数の位置決め孔とを形成し、前記ブラケットの被取付面部に、前記ベースシャーシの取付面部に取り付けられたときに前記ベースシャーシのネジ取付用孔に重ねられるネジ用孔と、前記ディスク状記録媒体の半径方向に離隔して形成され前記取付面部に取り付けられるときに前記ベースシャーシとの間で位置決めを行うための複数の位置合わせ孔とを形成し、前記ベースシャーシのネジ取付用孔又は前記ブラケットのネジ用孔の一方を前記ディスク状記録媒体の半径方向に直交する方向に長い長孔状に形成し、前記ベースシャーシの複数の位置決め孔を前記ディスク状記録媒体の半径方向に直交する方向にずらして形成したことを特徴とする。
【００３０】
従って、ナットのリードスクリューに対する位置精度に関して製品によってバラツキが生じた場合においても、リードスクリューとナットとの間の良好な位置関係を確保してリードスクリューの回転動作及びナットの送り動作の円滑化を図ることができ、光ピックアップの動作の適正化を図ることができる。
【００３１】
請求項８に記載した発明にあっては、前記ベースシャーシのネジ取付用孔を取付ネジが締結される螺孔として形成し、前記ブラケットのネジ用孔を前記ディスク状記録媒体の半径方向に直交する方向に長くして取付ネジが挿通される挿通孔として形成したので、ディスクテーブル及びスピンドルモーターを有する回転駆動機構、光ピックアップ及びピックアップ移動機構のベースシャーシに対する組付作業を全てベースシャーシの一方の面側から行うことができ、ベースシャーシに対する組付作業における作業性の向上を図ることができる。
【００３２】
請求項９に記載した発明にあっては、受け台に設けられた位置決めピンに前記ベースシャーシの位置決め孔及び前記ブラケットの位置合わせ孔を挿入して前記ベースシャーシの取付面部と前記ブラケットの被取付面部との位置決めを行うようにしたので、位置決め調整作業における作業性の向上を図ることができる。
【発明を実施するための最良の形態】
【００３３】
以下に、本発明ディスクドライブ装置の最良の形態を添付図面を参照して説明する。
【００３４】
ディスクドライブ装置１は、外筐２内に所要の各部材及び各機構が配置されて成り、外筐２の側面にはディスク挿入口２ａが形成されている（図１参照）。
【００３５】
外筐２内にはメカシャーシ３が配置され、該メカシャーシ３にはディスク駆動ユニット４がディスク挿入口２ａから外筐２の内部に挿入されたディスク状記録媒体１００に離接する方向へ昇降可能（回動可能）に支持されている。
【００３６】
ディスク駆動ユニット４はベースシャーシ５に所要の各部が組み付けられることにより構成されている（図２乃至図４参照）。
【００３７】
ベースシャーシ５にはディスク状記録媒体１００の半径方向（各図に示すＸ方向）に長い配置孔５ａが形成されている。ベースシャーシ５の外周面５ｂには外方へ突出された支点軸６、６が設けられている。ディスク駆動ユニット４は支点軸６、６を支点としてメカシャーシ３に回動自在に支持されている。
【００３８】
ベースシャーシ５のうち、配置孔５ａの側方（Ｙ方向）の一方の部分は取付面部７として設けられている。取付面部７には後述するピックアップ移動機構が取り付けられる。
【００３９】
取付面部７の外側の端部には、Ｘ方向に離隔して一対の第１の位置決め孔８、８が形成されている（図２参照）。取付面部７の外側の端部には、Ｘ方向に離隔して一対の第２の位置決め孔９、９が形成され、該第２の位置決め孔９、９はそれぞれ第１の位置決め孔８、８の近傍に位置されている。第１の位置決め孔８、８と第２の位置決め孔９、９は、例えば、ディスク状記録媒体１００の半径方向に直交する方向、即ち、Ｘ方向に直交する方向（各図に示すＹ方向）に僅かにずれた位置に形成されている（図５参照）。第１の位置決め孔８、８と第２の位置決め孔９、９のずれ量Ｈは、例えば、０．１ｍｍ程度とされている。
【００４０】
取付面部７の外側の端部には、Ｘ方向に離隔して一対のネジ取付用孔１０、１０が形成されている。ネジ取付用孔１０、１０は、例えば、後述する取付ネジが締結される螺孔として形成され、周面に螺溝を有している。
【００４１】
ベースシャーシ５には回転駆動機構１１が取り付けられている（図１乃至図４参照）。回転駆動機構１１はスピンドルモーター１２と該スピンドルモーター１２が取り付けられたモーター取付板１３とスピンドルモーター１２のモーター軸に固定されディスク状記録媒体１００が装着されるディスクテーブル１４とを有し、モーター取付板１３がベースシャーシ５の下面５ｃに取り付けられている。ベースシャーシ５に回転駆動機構１１が取り付けられた状態において、ディスクテーブル１４が配置孔５ａの一端部に配置される（図１参照）。
【００４２】
ベースシャーシ５の下面５ｃには四方に離隔して軸保持部１５、１５、１６、１６が設けられている（図２乃至図４参照）。軸保持部１５、１５と軸保持部１６、１６にはそれぞれガイド軸１７、１８の各両端部がそれぞれ保持され、ガイド軸１７、１８は軸方向がディスク状記録媒体１００の半径方向（Ｘ方向）に一致するようにベースシャーシ５の下面５ｃ側に配置されている。
【００４３】
ガイド軸１７、１８には光ピックアップ１９が移動自在に支持されている（図１乃至図４参照）。光ピックアップ１９は移動ベース２０上に対物レンズ駆動装置２１が配置されて成る。移動ベース２０のＹ方向における両端部にはそれぞれ軸受部２０ａ、２０ｂが設けられ、該軸受部２０ａ、２０ｂがそれぞれガイド軸１７、１８に摺動自在に支持されている。移動ベース２０が軸受部２０ａ、２０ｂに支持された状態において、光ピックアップ１９は対物レンズ駆動装置２１がベースシャーシ５の配置孔５ａに配置される（図１参照）。従って、光ピックアップ１９がガイド軸１７、１８に案内されてディスク状記録媒体１００の半径方向へ移動されるときには、対物レンズ駆動装置２１が配置孔５ａを長手方向へ移動される。
【００４４】
移動ベース２０の軸受部２０ａの側面にはナット２２が取り付けられている（図２乃至図４参照）。ナット２２は軸受部２０ａに取り付けられたベース部２３と該ベース部２３にヒンジを介して支持された被支持部２４とを有し、該被支持部２４に後述するリードスクリューに螺合される螺合用突部２４ａ、２４ａが設けられている。ナット２２にはベース部２３と被支持部２４の間に圧縮コイルバネである付勢バネ２５が配置され、該付勢バネ２５によって被支持部２４がベース部２３から離隔する方向、即ち、ディスク状記録媒体１００の半径方向に直交する方向（Ｙ方向）において軸受部２０ａから離隔する方向（図４に示すＡ方向）へ付勢されている。
【００４５】
ベースシャーシ５の取付面部７における下面にはピックアップ移動機構２６が取り付けられている（図２乃至図４参照）。ピックアップ移動機構２６はブラケット２７と該ブラケット２７に取り付けられた駆動モーター２８とブラケット２７に回転自在に支持されたリードスクリュー２９とを有している。
【００４６】
ブラケット２７はＸ方向に長い連結面部３０と該連結面部３０の長手方向における両端部からそれぞれ上方へ突出された支持面部３１、３１と連結面部３０の側縁の一部から上方へ突出された側面部３２と該側面部３２の上縁からＹ方向（外方）へ突出された被取付面部３３とが一体に形成されて成る。
【００４７】
ブラケット２７の被取付面部３３には、Ｘ方向に離隔して一対の第１の位置合わせ孔３４、３４が形成されている（図２及び図５参照）。被取付面部３３には、Ｘ方向に離隔して一対の第２の位置合わせ孔３５、３５が形成され、該第２の位置合わせ孔３５、３５はそれぞれ第１の位置合わせ孔３４、３４の近傍に位置されている。第１の位置合わせ孔３４、３４と第２の位置合わせ孔３５、３５は、Ｘ方向において一直線に並ぶように位置されている。
【００４８】
被取付面部３３には、Ｘ方向に離隔して一対のネジ用孔３６、３６が形成されている。ネジ用孔３６、３６は、例えば、後述する取付ネジが挿通される挿通孔として形成され、Ｙ方向に長い長孔状に形成されている。
【００４９】
駆動モーター２８はブラケット２７の一方の支持面部３１の外面に取り付けられている。
【００５０】
リードスクリュー２９は駆動モーター２８に連結され、該駆動モーター２８の駆動力によって回転される（図２乃至図４参照）。リードスクリュー２９は軸方向における両端部がそれぞれブラケット２７の支持面部３１、３１に回転自在に支持されている。
【００５１】
ピックアップ移動機構２６はブラケット２７の被取付面部３３がベースシャーシ５の取付面部７に取付ネジ３７、３７によって取り付けられて固定される。ピックアップ移動機構２６がベースシャーシ５に取り付けられた状態においては、リードスクリュー２９に、光ピックアップ１９の移動ベース２０に設けられたナット２２の螺合用突部２４ａ、２４ａが螺合される（図３及び図４参照）。このとき、螺合用突部２４ａ、２４ａには、上記したように、付勢バネ２５によってＡ方向への付勢力が付与されているため、螺合用突部２４ａ、２４ａはリードスクリュー２９に押し付けられた状態で螺合される。
【００５２】
上記のように、光ピックアップ１９に取り付けられたナット２２の螺合用突部２４ａ、２４ａがリードスクリュー２９に螺合されるため、ピックアップ移動機構２６において、駆動モーター２８の駆動力によってリードスクリュー２９が回転されると、その回転方向に応じた方向へナット２２が送られて光ピックアップ１９がディスク状記録媒体１００の半径方向へガイド軸１７、１８に案内されて移動される。
【００５３】
以下に、ピックアップ移動機構２６のベースシャーシ５への取付時における位置決め調整作業について説明する。
【００５４】
ピックアップ移動機構２６のベースシャーシ５への取付は、例えば、取付作業を行うための受け台２００を用いて行う（図６参照）。受け台２００はディスク駆動ユニット４のベースシャーシ５を載置するための載置面２０１を有している。載置面２０１には上方へ突出された位置決めピン２０２、２０２が設けられている。
【００５５】
先ず、受け台２００の載置面２０１にベースシャーシ５を下面５ｃが上方を向く向きで載置する。ベースシャーシ５には予め回転駆動機構１１が下面５ｃ側から取り付けられると共に光ピックアップ１９が下面５ｃ側から支持されている。このとき位置決めピン２０２、２０２をそれぞれベースシャーシ５の取付面部７に形成された、例えば、第１の位置決め孔８、８に挿入する。位置決めピン２０２、２０２はそれぞれ第１の位置決め孔８、８から上方へ突出される。
【００５６】
次に、ピックアップ移動機構２６をベースシャーシ５の下面５ｃ上に、ブラケット２７の被取付面部３３の下面が上方を向く向きで載置する。このとき第１の位置決め孔８、８から上方へ突出された位置決めピン２０２、２０２をそれぞれ被取付面部３３に形成された、例えば、第１の位置合わせ孔３４、３４に挿入する。
【００５７】
上記のように、位置決めピン２０２、２０２がそれぞれ第１の位置決め孔８、８と第１の位置合わせ孔３４、３４に挿入されることにより、被取付面部３３が取付面部７に重ねられベースシャーシ５に対してピックアップ移動機構２６が位置決めされる。
【００５８】
続いて、取付ネジ３７、３７をそれぞれ被取付面部３３のネジ用孔３６、３６に挿通し取付面部７のネジ取付用孔１０、１０に螺合してベースシャーシ５にピックアップ移動機構２６を固定する（図７参照）。ベースシャーシ５にピックアップ移動機構２６が固定されることにより、ディスク駆動ユニット４が構成される。このときナット２２の螺合用突部２４ａ、２４ａが、リードスクリュー２９に付勢バネ２５によってＡ方向への付勢力が付与された状態で螺合されている。
【００５９】
次いで、受け台２００からディスク駆動ユニット４を取り出して、光ピックアップ１９の動作確認を行う。動作確認は駆動モーター２８に通電を行い、リードスクリュー２９の回転状態及び光ピックアップ１９の動作状態を検査することにより行う。このとき、リードスクリュー２９の回転状態及び光ピックアップ１９の動作状態が適正であることが確認されたときには作業を完了する。
【００６０】
一方、リードスクリュー２９の回転状態又は光ピックアップ１９の動作状態が適正でないことが確認されたときには、ベースシャーシ５に対するピックアップ移動機構２６の位置が不適合であると推測されるため、以下の作業を引き続いて行う。尚、リードスクリュー２９の回転状態又は光ピックアップ１９の動作状態が適正でない場合とは、例えば、ナット２２のリードスクリュー２９に対する押付力が強過ぎてリードスクリュー２９の回転速度が低い場合やリードスクリュー２９が回転しない場合等である。
【００６１】
先ず、取付ネジ３７、３７を緩めて該取付ネジ３７、３７をベースシャーシ５及びピックアップ移動機構２６から取り外し、ベースシャーシ５からピックアップ移動機構２６を分離する。
【００６２】
次に、受け台２００の載置面２０１にベースシャーシ５を下面５ｃが上方を向く向きで載置する。このとき位置決めピン２０２、２０２をそれぞれベースシャーシ５の取付面部７に形成された第２の位置決め孔９、９に挿入する。位置決めピン２０２、２０２はそれぞれ第２の位置決め孔９、９から上方へ突出される。
【００６３】
次いで、ピックアップ移動機構２６をベースシャーシ５の下面５ｃ上に、ブラケット２７の被取付面部３３の下面が上方を向く向きで載置する。このとき第２の位置決め孔９、９から上方へ突出された位置決めピン２０２、２０２をそれぞれ被取付面部３３に形成された第２の位置合わせ孔３５、３５に挿入する。
【００６４】
上記のように、位置決めピン２０２、２０２がそれぞれ第２の位置決め孔９、９と第２の位置合わせ孔３５、３５に挿入されることにより、被取付面部３３が取付面部７に重ねられベースシャーシ５に対してピックアップ移動機構２６が再度位置決めされる。
【００６５】
続いて、取付ネジ３７、３７をそれぞれ被取付面部３３のネジ用孔３６、３６に挿通し取付面部７のネジ取付用孔１０、１０に螺合してベースシャーシ５にピックアップ移動機構２６を固定する。ベースシャーシ５にピックアップ移動機構２６が固定されることにより、ディスク駆動ユニット４が構成される。このときナット２２の螺合用突部２４ａ、２４ａが、リードスクリュー２９に付勢バネ２５によってＡ方向への付勢力が付与された状態で螺合されている。
【００６６】
次いで、受け台２００からディスク駆動ユニット４を取り出して、光ピックアップ１９の動作確認を行う。動作確認は、上記と同様に、駆動モーター２８に通電を行い、リードスクリュー２９の回転状態及び光ピックアップ１９の動作状態を検査することにより行う。リードスクリュー２９の回転状態及び光ピックアップ１９の動作状態が適正であることを確認し、作業を完了する。
【００６７】
以上に記載した通り、ディスクドライブ装置１にあっては、ベースシャーシ５の取付面部７に第１の位置決め孔８、８と第２の位置決め孔９、９を形成し、ブラケット２７の被取付面部３３に第１の位置合わせ孔３４、３４と第２の位置合わせ孔３５、３５を形成してベースシャーシ５に対するピックアップ移動機構２６の位置決め調整作業を行うようにしているため、ナット２２のリードスクリュー２９に対する位置精度に関して製品によってバラツキが生じた場合においても、リードスクリュー２９と該リードスクリュー２９に螺合されるナット２２との間の良好な位置関係を確保してリードスクリュー２９の回転動作及びナット２２の送り動作の円滑化を図ることができ、光ピックアップ１９の動作の適正化を図ることができる。
【００６８】
また、ベースシャーシ５のネジ取付用孔１０、１０を取付ネジ３７、３７が締結される螺孔として形成し、ブラケット２７のネジ用孔３６、３６を取付ネジ３７、３７が挿通される挿通孔として形成している。
【００６９】
従って、上記したように、ベースシャーシ５には予め回転駆動機構１１が下面５ｃ側から取り付けられると共に光ピックアップ１９が下面５ｃ側から支持されるため、ベースシャーシ５のネジ取付用孔１０、１０を取付ネジ３７、３７が締結される螺孔として形成すると共にブラケット２７のネジ用孔３６、３６を取付ネジ３７、３７が挿通される挿通孔として形成することにより、取付ネジ３７、３７によるネジ止め作業もベースシャーシ５の下面５ｃ側から行うことができ、回転駆動機構１１、光ピックアップ１９及びピックアップ移動機構２６のベースシャーシ５に対する組付作業を全てベースシャーシ５の下面５ｃ側から行うことができ、ベースシャーシ５に対する組付作業における作業性の向上を図ることができる。
【００７０】
さらに、ピックアップ移動機構２６のベースシャーシ５に対する位置決め調整作業を受け台２００に設けた位置決めピン２０２、２０２を用いることにより行っているため、位置決め調整作業における作業性の向上を図ることができる。
【００７１】
上記には、ベースシャーシ５の取付面部７に形成された第１の位置決め孔８、８と第２の位置決め孔９、９をＹ方向にずらし、ピックアップ移動機構２６の第１の位置合わせ孔３４、３４と第２の位置合わせ孔３５、３５をＸ方向に一直線状に並ぶように形成し、第１の位置決め孔８、８、第２の位置決め孔９、９、第１の位置合わせ孔３４、３４及び第２の位置合わせ孔３５、３５を位置決め手段としてベースシャーシ５に対するピックアップ移動機構２６の位置決めを行うようにした例を示したが、例えば、図８に示すように、位置決め手段として、第１の位置決め孔８、８と第２の位置決め孔９、９を一直線状に並ぶようにしてベースシャーシ５の取付面部７に形成し、第１の位置合わせ孔３４、３４と第２の位置合わせ孔３５、３５をブラケット２７の被取付面部３３にＹ方向にずらして形成するようにしてもよい。
【００７２】
また、位置決め手段の別の態様として、図９に示すように、第１の位置決め孔８、８と第２の位置決め孔９、９をＹ方向にずらしてベースシャーシ５の取付面部７に形成し、Ｘ方向に長い位置合わせ孔３８、３８をブラケット２７の被取付面部３３に形成するようにしてもよい。位置合わせ孔３８、３８はそれぞれＸ方向における長さが第１の位置決め孔８、８と第２の位置決め孔９、９との距離以上の長さとされており、第１の位置合わせ孔３４、３４と第２の位置合わせ孔３５、３５の機能を兼用する。
【００７３】
さらに、位置決め手段のまた別の態様として、図１０に示すように、Ｘ方向に長い位置決め孔３９、３９をベースシャーシ５の取付面部７に形成し、第１の位置合わせ孔３４、３４と第２の位置合わせ孔３５、３５をＹ方向にずらしてブラケット２７の被取付面部３３に形成するようにしてもよい。位置決め孔３９、３９はそれぞれＸ方向における長さが第１の位置合わせ孔３４、３４と第２の位置合わせ孔３５、３５との距離以上の長さとされており、第１の位置決め孔８、８と第２の位置決め孔９、９の機能を兼用する。
【００７４】
尚、上記には、ベースシャーシ５の取付面部７に螺孔として機能するネジ取付用孔１０、１０を形成し、ブラケット２７の被取付面部３３にネジ挿通孔として機能するネジ用孔３６、３６を形成した例を示したが、逆に、ベースシャーシ５の取付面部７にネジ挿通孔として機能するネジ取付用孔１０、１０を形成し、ブラケット２７の被取付面部３３に螺孔として機能するネジ用孔３６、３６を形成してもよい。この場合にはネジ挿通孔として機能するネジ取付用孔１０、１０をＹ方向に長く形成し、取付ネジ３７、３７をベースシャーシ５の上面側からネジ挿通孔として機能するネジ取付用孔１０、１０を挿通し螺孔として機能するネジ用孔３６、３６に螺合してベースシャーシ５に光ピックアップ駆動機構２６を固定する。
【００７５】
また、上記には、Ｙ方向にずらして位置する位置決め孔８、９及び位置合わせ孔３４、３５をそれぞれ二つ形成した例を示したが、位置決め孔８、９及び位置合わせ孔３４、３５の数はそれぞれ二つに限られることはなく、位置決め調整が可能な位置を増やすことに対応させて三つ以上形成することも可能である。
【００７６】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７７】
【図１】図２乃至図１０と共に本発明ディスクドライブ装置を実施するための最良の形態を示すものであり、本図は、ディスクドライブ装置をディスク状記録媒体とともに示す概略斜視図である。
【図２】ディスク駆動ユニットをピックアップ移動機構を分離した状態で示す拡大斜視図である。
【図３】ディスク駆動ユニットの拡大斜視図である。
【図４】ディスク駆動ユニットの拡大底面図である。
【図５】ベースシャーシの取付部とピックアップ移動機構の被取付部とを示す拡大分解斜視図である。
【図６】受け台の位置決めピンと位置決め孔及び位置合わせ孔との位置関係を示す拡大分解斜視図である。
【図７】ベースシャーシにピックアップ移動機構が固定された状態を示す拡大断面図である。
【図８】一直線状に並ぶ状態でネジ取付用孔が形成されたベースシャーシの取付部とずれた状態でネジ用孔が形成されたピックアップ移動機構の被取付部とを示す拡大分解斜視図である。
【図９】ベースシャーシの取付部とピックアップ移動機構の被取付部との別の態様を示す拡大分解斜視図である。
【図１０】ベースシャーシの取付部とピックアップ移動機構の被取付部とのまた別の態様を示す拡大分解斜視図である。
【符号の説明】
【００７８】
１００…ディスク状記録媒体、１…ディスクドライブ装置、５…ベースシャーシ、７…取付面部、８…第１の位置決め孔、９…第２の位置決め孔、１４…ディスクテーブル、１７…ガイド軸、１８…ガイド軸、１９…光ピックアップ、２２…ナット、２６…ピックアップ移動機構、２７…ブラケット、２８…駆動モーター、２９…リードスクリュー、３３…被取付面部、３４…第１の位置合わせ孔、３５…第２の位置合わせ孔、３６…ネジ用孔、３７…取付ネジ、３８…位置合わせ孔、３９…位置決め孔、２００…受け台、２０２…位置決めピン
【図１】
2009176361.tif 000003
【図２】
2009176361.tif 000004
【図３】
2009176361.tif 000005
【図４】
2009176361.tif 000006
【図５】
2009176361.tif 000007
【図６】
2009176361.tif 000008
【図７】
2009176361.tif 000009
【図８】
2009176361.tif 000010
【図９】
2009176361.tif 000011
【図１０】
2009176361.tif 000012